(57)【要約】【課題】コンテンツの入れ替えに関するコストを軽減する。【解決手段】  コンテンツ制御サーバ１は、通信ネットワーク４および記憶媒体３から指定された媒体を介して、コンテンツデータを広告表示端末２に記憶させるデータ交換制御手段１１３を備える。広告表示端末２は、通信ネットワーク４を介して、コンテンツ制御サーバ１とデータを送受信する通信制御装置２３０と、コンテンツ制御サーバ１によって記憶されたデータを保持する記憶媒体３を、読み書きする記憶媒体読み書き装置２４０と、データを出力する入出力装置２５０と、コンテンツ制御サーバ１のコンテンツデータを、媒体を介して、取得して記憶するデータ交換手段２１１と、データ交換手段２１１が取得したコンテンツデータを、入出力装置２５０に出力させる表示制御手段２１４を備える。【選択図】      図１
2015141559.tif 000002
【特許請求の範囲】
【請求項１】
商品の広告に関するコンテンツデータを制御するコンテンツ制御サーバと、前記コンテンツデータを再生する広告表示端末とを備えるコンテンツ制御システムであって、
コンテンツ制御サーバは、
通信ネットワークおよび記憶媒体から指定された媒体を介して、コンテンツデータを広告表示端末に記憶させるデータ交換制御手段を備え、
広告表示端末は、
前記通信ネットワークを介して、前記コンテンツ制御サーバとデータを送受信する通信制御装置と、
前記コンテンツ制御サーバによって記憶されたデータを保持する前記記憶媒体を、読み書きする記憶媒体読み書き装置と、
データを出力する入出力装置と、
前記コンテンツ制御サーバのコンテンツデータを、前記媒体を介して、取得して記憶するデータ交換手段と、
前記データ交換手段が取得したコンテンツデータを、前記入出力装置に出力させる表示制御手段を備え、
ことを特徴とするコンテンツ制御システム。
【請求項２】
前記広告表示端末において、
前記入出力装置は、さらに、入力された操作を取得し、
前記表示制御手段は、出力するコンテンツデータに対して入力された操作に関する操作ログデータを、記憶し、
前記データ交換手段は、前記コンテンツ制御サーバの新たなコンテンツデータを取得して記憶する際、前記媒体を介して、前記表示制御手段によって記憶された操作ログデータを前記コンテンツ制御サーバに記憶させ、
前記コンテンツ制御サーバにおいて、
前記データ交換制御手段は、
複数の広告表示端末から、前記媒体を介して、操作ログデータを取得して記憶し、
複数の広告表示端末から取得した前記操作ログデータに基づいて、統計データを出力するログ出力手段をさらに備える
ことを特徴とする請求項１に記載のコンテンツ制御システム。
【請求項３】
前記コンテンツ制御サーバの前記データ交換制御手段は、
前記記憶媒体に、当該記憶媒体を読み出す広告表示端末に関するコンテンツデータを記憶し、
前記広告表示端末の前記データ交換手段は、
前記記憶媒体を読み出し、当該記憶媒体を認証できた場合、前記記憶媒体に記憶されたデータのうち、当該広告表示端末に関するコンテンツデータを取得して記憶する
ことを特徴とする請求項１または２に記載のコンテンツ制御システム。
【請求項４】
前記広告表示端末の前記データ交換手段は、
前記コンテンツデータの取得に成功した場合、その旨を示す確認データを前記記憶媒体に記憶して、前記コンテンツ制御サーバに記憶させる
ことを特徴とする請求項１ないし３のいずれか１項に記載のコンテンツ制御システム。
【請求項５】
商品の広告に関するコンテンツデータを制御するコンテンツ制御サーバと、前記コンテンツデータを再生する広告表示端末とを備えるコンテンツ制御システムに用いられるコンテンツ制御方法であって、
広告表示端末は、
通信ネットワークを介して、コンテンツ制御サーバとデータを送受信する通信制御装置と、
前記コンテンツ制御サーバによって記憶されたデータを保持する記憶媒体を、読み書きする記憶媒体読み書き装置と、
データを出力する入出力装置と、を備え、
前記コンテンツ制御サーバが、前記通信ネットワークおよび前記記憶媒体から指定された媒体を介して、コンテンツデータを広告表示端末に記憶させるステップと、
前記広告表示端末が、前記コンテンツ制御サーバのコンテンツデータを、前記媒体を介して、取得して記憶するステップと、
取得したコンテンツデータを、前記入出力装置に出力させるステップ
を備えることを特徴とするコンテンツ制御方法。
【請求項６】
商品の広告に関するコンテンツデータを再生する広告表示端末であって、
通信ネットワークを介して、コンテンツ制御サーバとデータを送受信する通信制御装置と、
前記コンテンツ制御サーバによって記憶されたデータを保持する記憶媒体を、読み書きする記憶媒体読み書き装置と、
データを出力する入出力装置と、
前記コンテンツ制御サーバのコンテンツデータを、通信ネットワークおよび記憶媒体から指定された媒体を介して、取得して記憶するデータ交換手段と、
前記データ交換手段が取得したコンテンツデータを、前記入出力装置に出力させる表示制御手段と、
を備えることを特徴とする広告表示端末。
【請求項７】
前記入出力装置は、さらに、入力された操作を取得し、
前記表示制御手段は、出力するコンテンツデータに対して入力された操作に関する操作ログデータを、記憶し、
前記データ交換手段は、前記コンテンツ制御サーバの新たなコンテンツデータを取得して記憶する際、前記媒体を介して、前記表示制御手段によって記憶された操作ログデータを前記コンテンツ制御サーバに記憶させる
ことを特徴とする請求項６に記載の広告表示端末。
【請求項８】
前記データ交換手段は、前記記憶媒体を読み出し、当該記憶媒体を認証できた場合、前記記憶媒体に記憶されたデータのうち、当該広告表示端末に関するコンテンツデータを取得して記憶する
ことを特徴とする請求項６または７に記載の広告表示端末。
【請求項９】
前記データ交換手段は、前記コンテンツデータの取得に成功した場合、その旨を示す確認データを前記記憶媒体に記憶して、前記コンテンツ制御サーバに記憶させる
ことを特徴とする請求項６ないし８のいずれか１項に記載の広告表示端末。
【請求項１０】
商品の広告に関するコンテンツデータを再生する広告表示プログラムであって、
コンピュータは、
通信ネットワークを介して、コンテンツ制御サーバとデータを送受信する通信制御装置と、
前記コンテンツ制御サーバによって記憶されたデータを保持する記憶媒体を、読み書きする記憶媒体読み書き装置と、
データを出力する入出力装置と、を備え、
前記コンピュータを、
前記コンテンツ制御サーバのコンテンツデータを、通信ネットワークおよび記憶媒体から指定された媒体を介して、取得して記憶するデータ交換手段と、
前記データ交換手段が取得したコンテンツデータを、前記入出力装置に出力させる表示制御手段と、
として機能させることを特徴とする広告表示プログラム。
【発明の詳細な説明】
【技術分野】
【０００１】
本発明は、商品の広告に関するコンテンツデータを再生するコンテンツ制御システム、コンテンツ制御方法、広告表示端末および広告表示プログラムに関する。
【背景技術】
【０００２】
従来、小売店において紙媒体のＰＯＰ（Point of purchase advertising）が広く普及していたところ、昨今の情報端末の普及に伴い、電子ＰＯＰを表示する広告表示端末（例えば、特許文献１参照。）が普及している。このような広告表示端末は、表示装置やスピーカーなどを備え、店舗において、商品の近傍に設置される。広告表示端末は、静止画や動画などなどのコンテンツデータによって、近傍に設置された商品を紹介する。これにより周辺を歩行する顧客の目を引きつけ、また、商品の魅力を顧客に理解させることができるので、広告表示端末は、商品の販売促進に寄与することができる。
【０００３】
広告表示端末は、予め記憶したコンテンツデータを再生するよう構成される。従って、コンテンツデータを入れ替えることにより、様々な商品に適用して設置される場合がある。コンテンツデータを入れ替える方法として、通信ネットワークを介してダウンロードする接続型と、記憶媒体を介してダウンロードする非接続型とがある。
【０００４】
接続型の広告表示端末は、サーバによって、通信ネットワークを介してコンテンツデータの入れ替えなどの機能が制御される。また非接続型の広告表示端末は、現場担当者がコンテンツデータを記憶した記憶媒体を広告表示端末に読み取らせることにより、コンテンツデータの入れ替えが実行される。
【先行技術文献】
【特許文献】
【０００５】
【特許文献１】特開２０１２−１８５３２４号公報
【発明の概要】
【発明が解決しようとする課題】
【０００６】
しかしながら、このような広告表示端末は、コンテンツの入れ替えに関してコストが発生する場合がある。
【０００７】
具体的には、広告表示端末は、商品メーカーが設置することが多く、商品メーカーは自社製品を販売する小売店のそれぞれにおいて、コンテンツの入れ替え作業をする必要があり、コストが負担になる場合がある。
【０００８】
非接続型の広告表示端末のコンテンツデータを入れ替える際、現場担当者が広告表示端末の設置位置に赴き、新しいコンテンツデータを広告表示端末にダウンロードさせる必要がある。小売店は点在している場合が多いので、時間的および費用的コストが発生してしまう場合がある。
【０００９】
接続型の広告表示端末は、非接続型の広告表示端末と比べて、現場担当者が各小売店に赴く必要がなく、利便性が高いと考えられる。通信ネットワークを介して接続型の広告表示端末のコンテンツデータを入れ替える場合、広告表示端末が設置された小売店のそれぞれにおいて、コンテンツを入れ替えるためのネットワークを構築する必要がある。しかしながら、セキュリティの関係上、小売店内に設けられた既存の通信ネットワークに接続することが困難な場合は、少なくない。また独自に通信ネットワークを構築する場合、コンテンツの入れ替え頻度と比較すると、ネットワークの構築のためのコストが負担になってしまう。また、個々の広告表示端末が移動体通信網に接続するためのＳＩＭを搭載する方法もあるが、月々の通信維持費用がかかり、膨大なコストが発生してしまう。
【００１０】
このように、広告表示端末は、その設置される環境によって、コンテンツの入れ替え手法が異なり、それぞれの入れ替え手法に特化した媒体を搭載しているのが一般的である。しかしながら、小売店に、その時々に応じて適切な数の広告表示端末が設置される必要があるため、設置される環境を問わず、転用可能で、どのような環境においても、任意のコンテンツに入れ替え可能であることが好ましい。従来の広告表示端末は、コンテンツの入れ替えに関する環境を考慮して、接続型および非接続型のうち、いずれかの機能のみを搭載しているため、転用することが困難である。
【００１１】
従って本発明の目的は、コンテンツの入れ替えに関してコストを軽減可能なコンテンツ制御システム、コンテンツ制御方法、広告表示端末および広告表示プログラムを提供することである。
【課題を解決するための手段】
【００１２】
上記課題を解決するために、本発明の第１の特徴は、商品の広告に関するコンテンツデータを制御するコンテンツ制御サーバと、コンテンツデータを再生する広告表示端末とを備えるコンテンツ制御システムに関する。本発明の第１の特徴に係るコンテンツ制御システムにおいて、コンテンツ制御サーバは、通信ネットワークおよび記憶媒体から指定された媒体を介して、コンテンツデータを広告表示端末に記憶させるデータ交換制御手段を備える。広告表示端末は、通信ネットワークを介して、コンテンツ制御サーバとデータを送受信する通信制御装置と、コンテンツ制御サーバによって記憶されたデータを保持する記憶媒体を、読み書きする記憶媒体読み書き装置と、データを出力する入出力装置と、コンテンツ制御サーバのコンテンツデータを、媒体を介して、取得して記憶するデータ交換手段と、データ交換手段が取得したコンテンツデータを、入出力装置に出力させる表示制御手段を備える。
【００１３】
ここで広告表示端末において、入出力装置は、さらに、入力された操作を取得し、表示制御手段は、出力するコンテンツデータに対して入力された操作に関する操作ログデータを、記憶し、データ交換手段は、コンテンツ制御サーバの新たなコンテンツデータを取得して記憶する際、媒体を介して、表示制御手段によって記憶された操作ログデータをコンテンツ制御サーバに記憶させても良い。コンテンツ制御サーバにおいて、データ交換制御手段は、複数の広告表示端末から、媒体を介して、操作ログデータを取得して記憶し、複数の広告表示端末から取得した操作ログデータに基づいて、統計データを出力するログ出力手段をさらに備える。
【００１４】
またコンテンツ制御サーバのデータ交換制御手段は、記憶媒体に、当該記憶媒体を読み出す広告表示端末に関するコンテンツデータを記憶しても良い。広告表示端末のデータ交換手段は、記憶媒体を読み出し、当該記憶媒体を認証できた場合、記憶媒体に記憶されたデータのうち、当該広告表示端末に関するコンテンツデータを取得して記憶する。
【００１５】
さらに広告表示端末のデータ交換手段は、コンテンツデータの取得に成功した場合、その旨を示す確認データを記憶媒体に記憶して、コンテンツ制御サーバに記憶させても良い。
【００１６】
本発明の第２の特徴は、商品の広告に関するコンテンツデータを制御するコンテンツ制御サーバと、コンテンツデータを再生する広告表示端末とを備えるコンテンツ制御システムに用いられるコンテンツ制御方法に関する。即ち本発明の第２の特徴に係るコンテンツ制御方法において広告表示端末は、通信ネットワークを介して、コンテンツ制御サーバとデータを送受信する通信制御装置と、コンテンツ制御サーバによって記憶されたデータを保持する記憶媒体を、読み書きする記憶媒体読み書き装置と、データを出力する入出力装置と、を備える。コンテンツ制御方法は、コンテンツ制御サーバが、通信ネットワークおよび記憶媒体から指定された媒体を介して、コンテンツデータを広告表示端末に記憶させるステップと、広告表示端末が、コンテンツ制御サーバのコンテンツデータを、媒体を介して、取得して記憶するステップと、取得したコンテンツデータを、入出力装置に出力させるステップを備える。
【００１７】
本発明の第３の特徴は、商品の広告に関するコンテンツデータを再生する広告表示端末に関する。本発明の第３の特徴に係る広告表示端末は、通信ネットワークを介して、コンテンツ制御サーバとデータを送受信する通信制御装置と、コンテンツ制御サーバによって記憶されたデータを保持する記憶媒体を、読み書きする記憶媒体読み書き装置と、データを出力する入出力装置と、コンテンツ制御サーバのコンテンツデータを、通信ネットワークおよび記憶媒体から指定された媒体を介して、取得して記憶するデータ交換手段と、データ交換手段が取得したコンテンツデータを、入出力装置に出力させる表示制御手段と、を備える。
【００１８】
ここで入出力装置は、さらに、入力された操作を取得し、表示制御手段は、出力するコンテンツデータに対して入力された操作に関する操作ログデータを、記憶し、データ交換手段は、コンテンツ制御サーバの新たなコンテンツデータを取得して記憶する際、媒体を介して、表示制御手段によって記憶された操作ログデータをコンテンツ制御サーバに記憶させても良い。
【００１９】
またデータ交換手段は、記憶媒体を読み出し、当該記憶媒体を認証できた場合、記憶媒体に記憶されたデータのうち、当該広告表示端末に関するコンテンツデータを取得して記憶しても良い。
【００２０】
さらにデータ交換手段は、コンテンツデータの取得に成功した場合、その旨を示す確認データを記憶媒体に記憶して、コンテンツ制御サーバに記憶させても良い。
【００２１】
本発明の第４の特徴は、商品の広告に関するコンテンツデータを再生する広告表示プログラムに関する。本発明の第４の特徴に係る広告表示プログラムについて、コンピュータは、通信ネットワークを介して、コンテンツ制御サーバとデータを送受信する通信制御装置と、コンテンツ制御サーバによって記憶されたデータを保持する記憶媒体を、読み書きする記憶媒体読み書き装置と、データを出力する入出力装置と、を備える。本発明の第４の特徴に係る広告表示プログラムは、コンピュータを、コンテンツ制御サーバのコンテンツデータを、通信ネットワークおよび記憶媒体から指定された媒体を介して、取得して記憶するデータ交換手段と、データ交換手段が取得したコンテンツデータを、入出力装置に出力させる表示制御手段と、として機能させる。
【発明の効果】
【００２２】
本発明によれば、コンテンツの入れ替えに関してコストを軽減可能なコンテンツ制御システム、コンテンツ制御方法、広告表示端末および広告表示プログラムを提供することができる。
【図面の簡単な説明】
【００２３】
【図１】本発明の実施の形態に係るコンテンツ制御システムのシステム構成を説明する図である。
【図２】本発明の実施の形態に係る広告表示端末が表示する画面の一例を説明する図である。
【図３】本発明の実施の形態に係るコンテンツ制御サーバのハードウェア構成と機能ブロックを説明する図である。
【図４】本発明の実施の形態に係るコンテンツ制御サーバが表示する表示端末選択画面の一例である。
【図５】本発明の実施の形態に係るコンテンツ制御サーバが表示する表示開始設定画面の一例である。
【図６】本発明の実施の形態に係るコンテンツ制御サーバが表示するスケジュール表示画面の一例である。
【図７】本発明の実施の形態に係るコンテンツ制御サーバが表示する端末ビュー数表示画面の一例である。
【図８】本発明の実施の形態に係る広告表示端末のハードウェア構成と機能ブロックを説明する図である。
【図９】本発明の実施の形態に係るコンテンツ制御方法に関し、通信ネットワークを介して交換データを交換する処理の一例を説明するシーケンス図である。
【図１０】本発明の実施の形態に係るコンテンツ制御方法に関し、記憶媒体を介して交換データを交換する処理の一例を説明するシーケンス図である。
【発明を実施するための形態】
【００２４】
次に、図面を参照して、本発明の実施の形態を説明する。以下の図面の記載において、同一または類似の部分には同一または類似の符号を付している。
【００２５】
（コンテンツ制御システム）
図１を参照して、本発明の実施の形態に係るコンテンツ制御システム７を説明する。コンテンツ制御システム７は、コンテンツ制御サーバ１、接続型店舗システム２１、および非接続型店舗システム２２を備える。コンテンツ制御サーバ１および接続型店舗システム２１は、インターネットなどの公共通信ネットワーク４によって、双方向に通信可能に接続される。
【００２６】
接続型店舗システム２１は、広告表示端末２を備える。接続型店舗システム２１の広告表示端末２は、ＬＡＮなどの構内通信ネットワーク５および公共通信ネットワーク４を介して、コンテンツ制御サーバ１と双方向に通信可能に接続する。
【００２７】
非接続型店舗システム２２は、複数の広告表示端末２を備える。非接続型店舗システム２２の広告表示端末２は、記憶媒体３を介して、コンテンツ制御サーバ１とデータの受け渡しをする。現場担当者が、各非接続型店舗システム２２の店舗に赴き、対象の広告表示端末２に記憶媒体３を差し込み、データをダウンロードさせる。
【００２８】
コンテンツ制御サーバ１は、商品の広告に関するコンテンツデータを制御する。コンテンツ制御サーバ１は、広告表示端末２が記憶するべきデータを保持し、通信ネットワーク４または記憶媒体３を介して、そのデータを広告表示端末２に記憶させる。またコンテンツ制御サーバ１は、広告表示端末２から、通信ネットワーク４または記憶媒体３を介して、データを取得する。
【００２９】
記憶媒体３は、可搬性を備える記憶媒体であって、例えば、ＵＳＢメモリ、ＳＤカードなどである。記憶媒体３が、記憶媒体読み書き装置に挿入されることにより、コンピュータは、記憶媒体３を外部記憶媒体として認識し、記憶媒体３にデータを書いたり、記憶媒体３のデータを読み出したりする。
【００３０】
広告表示端末２は、店舗内の商品ディスプレイの傍などに適宜配設され、商品を紹介する静止画や動画などのコンテンツデータを再生する電子ＰＯＰ広告端末である。接続型店舗システム２１および非接続型店舗システム２２において、それぞれ同様の構成を備える広告表示端末２が設置される。広告表示端末２は、コンテンツ制御サーバ１のデータを記憶するとともに、広告表示端末２が保持するデータを、コンテンツ制御サーバ１に記憶させる。
【００３１】
本発明の実施の形態において、コンテンツ制御サーバ１と広告表示端末２とで交換されるデータを「交換データ」と称する。交換データは、コンテンツ制御サーバ１から広告表示端末２に提供される下りデータと、広告表示端末２からコンテンツ制御サーバ１に提供される上りデータを含む。下りデータは、広告表示端末２において出力されるコンテンツデータ、コンテンツデータを再生するスケジュールを設定した設定データ、広告表示端末２で利用されるプログラムのアップデートデータなどを含む。上りデータは、広告表示端末２におけるログデータなどを含む。
【００３２】
本発明の実施の形態に係るコンテンツ制御システム７は、接続型店舗システム２１に設置される広告表示端末２においても、非接続型店舗システム２２に設置される広告表示端末２においても、シームレスにコンテンツを管理する。これによりコンテンツ制御システム７は、コンテンツの入れ替えに関して、コストの軽減を可能とする。
【００３３】
（コンテンツ）
次に図２を参照して、広告表示端末２が表示するコンテンツの一例を説明する。広告表示端末２は、いわゆるタッチパネルの表示装置を搭載しており、コンテンツデータを再生するとともに、顧客がパネルを操作することにより、操作対象のコンテンツデータが再生されるように制御される。例えば、女性用アパレル商品がディスプレイされるエリアに設置される広告表示画面は、図２に示すような画面を表示する。
【００３４】
最初に、図２（ａ）に示す第１階層画面Ｐ１１が表示される。第１階層画面Ｐ１１は、このエリアにディスプレイされる商品のカテゴリを表示する。なお、近傍に顧客がいない場合や、長時間操作されない場合、広告表示端末２は、商品の画像データをスライドショーで表示しても良い。
【００３５】
第１階層画面Ｐ１１において、顧客が「ボトムス」のソフトボタンを選択すると、図２（ｂ）に示す第２階層画面Ｐ１２が表示される。第２階層画面Ｐ１２は、このエリアにディスプレイされる商品のうち、顧客が選択した「ボトムス」カテゴリに属する商品の一覧を表示する。
【００３６】
第２階層画面Ｐ１２において、顧客が「詳細」のソフトボタンを選択すると、図２（ｃ）に示す第３階層画面Ｐ１３が表示される。第３階層画面Ｐ１３は、顧客が選択したソフトボタンに対応する商品に関する情報を表示する。第３階層画面Ｐ１３においても、さらに商品を詳細に紹介するコンテンツを再生させるソフトボタンが設けられる。
【００３７】
このように本発明の実施の形態に係るコンテンツデータは、複数のページを有しており、顧客の操作により、選択されたコンテンツが表示される。これにより、商品の説明として、商品そのものの説明のみならず、使い方の説明や提案をコンテンツとして提供できるので、専門的な知識が必要な商品であっても、顧客は、このコンテンツから必要な情報を取得することができる。なお、第２階層画面Ｐ１２および第３階層画面Ｐ１３において、「トップ」のソフトボタンが選択されると、第１階層画面Ｐ１１が表示される。
【００３８】
本発明の実施の形態に係る広告表示端末２は、その端末に応じて個別にコンテンツデータを設定し、再生させることが可能である。従って、コンテンツ制御システム７は、広告表示端末２が設置される場所などの環境に応じて、個別のコンテンツを表示させることを可能とする。
【００３９】
（コンテンツ制御サーバ）
図３を参照して、本発明の実施の形態に係るコンテンツ制御サーバ１を説明する。コンテンツ制御サーバ１は、処理装置１１０、記憶装置１２０、通信制御装置１３０、記憶媒体読み書き装置１４０、出力装置１５０および入力装置１６０を備えるコンピュータである。コンピュータが所定の機能を実現するためのプログラムを実行することにより、図３に示す各手段として機能する。
【００４０】
ここでは、コンテンツ制御サーバ１は、コンテンツ制御システム７の管理者によって操作される場合を説明するが、これに限られない。例えばコンテンツ制御サーバ１は、クラウド上に構成され、管理者や現場担当者が操作する任意の端末から、通信ネットワークを介して操作するように構成されても良い。
【００４１】
記憶装置１２０は、プログラムデータ１２１、端末リストデータ１２２、スケジュールデータ１２３、コンテンツデータ１２４、ログデータ１２５および確認データ１２６を記憶する。
【００４２】
プログラムデータ１２１は、広告表示端末２において用いられるプログラムのデータである。プログラムデータ１２１は、例えば、ＯＳ、ミドルウェアなどの制御プログラムや、コンテンツを表示するための表示プログラムを含む。プログラムデータ１２１は、最新のプログラムを記憶する。
【００４３】
端末リストデータ１２２は、このコンテンツ制御サーバ１の制御対象の広告表示端末２のリストである。端末リストデータ１２２は、例えば、広告表示端末２の識別子、設置場所、接続型または非接続型の店舗システムのタイプ、広告表示端末２のＭＡＣアドレスなどを対応づけるデータである。
【００４４】
スケジュールデータ１２３は、広告表示端末２において表示するコンテンツのスケジュールのデータである。スケジュールデータ１２３は、広告表示端末２毎に、または広告表示端末２のグループ毎に、設けられる。スケジュールデータ１２３は、広告表示端末２が設置される小売店の営業時間内の時間と、その時間で再生するコンテンツの識別子とを対応づけて保持する。
【００４５】
コンテンツデータ１２４は、広告表示端末２が再生するコンテンツのデータである。コンテンツデータ１２４は、コンテンツの識別子に対応づけられて保持する。コンテンツデータ１２４の識別子は、画像や動画など、複数のコンテンツの集合に対応しても良い。
【００４６】
図２を参照して説明した様に、顧客の操作によって表示するコンテンツを切り替える場合、コンテンツデータ１２４はさらに、コンテンツを表示するためのトリガーとなる条件を対応づける。例えば、図２（ｃ）に示す第３階層画面Ｐ１３において、「春のお出かけスカート」の「サイズ」のソフトボタンが押下されることにより表示されるコンテンツは、「春のお出かけスカート」および「サイズ」が、条件として対応づけられる。
【００４７】
ここで、コンテンツデータ１２４は、テーブル形式でも良いし、ＸＭＬ形式などの構造化言語で表現されても良い。広告表示端末２において処理可能な形式であれば、どのようなものでも良い。
【００４８】
ログデータ１２５は、コンテンツ制御サーバ１における処理のログデータや、広告表示端末２から送信されたログデータである。広告表示端末２から送信されたログデータは、そのログデータの送信元の広告表示端末２の識別子と対応づけて記憶され、動作ログデータと操作ログデータを含む。動作ログデータは、プログラムを実行している間に生じた異常に関するログである。操作ログデータは、コンテンツの再生中に顧客による操作に関するログである。操作ログデータは、広告表示端末２の識別子、この広告表示端末２における顧客による操作の操作時間、および操作対象のコンテンツの識別子などを対応づけたデータである。
【００４９】
確認データ１２６は、コンテンツデータ１２４、スケジュールデータ１２３などが、正常に広告表示端末２に記憶された際に、広告表示端末２において作成されたデータである。確認データ１２６は、広告表示端末２の識別子、生成日時および記憶対象のデータの識別子などを対応づけたデータである。確認データ１２６は特に、記憶媒体３を介して広告表示端末２にデータを記憶させた際のエビデンスとなる。
【００５０】
処理装置１１０は、プログラム更新手段１１１、スケジュールコンテンツ登録手段１１２、データ交換制御手段１１３およびログ出力手段１１６を備える。
【００５１】
プログラム更新手段１１１は、広告表示端末２において用いられるプログラムの最新バージョンを取得して、プログラムデータ１２１として記憶する。
【００５２】
スケジュールコンテンツ登録手段１１２は、管理者によるコンテンツ表示のスケジュールの設定に基づいて、スケジュールデータ１２３およびコンテンツデータ１２４を生成し、記憶装置１２０に記憶する。ここでスケジュールコンテンツ登録手段１１２は、端末リストデータ１２２を参照して、広告表示端末２のリストを出力装置１５０に出力して、管理者に、広告表示端末２を選択させるようにしても良い。
【００５３】
スケジュールコンテンツ登録手段１１２は、管理者の操作により、各広告表示端末２に表示するコンテンツデータ１２４を、識別子を対応づけて記憶装置１２０に記憶する。スケジュールコンテンツ登録手段１１２は、広告表示端末２の識別子、コンテンツデータ１２４の識別子、および広告表示端末２においてコンテンツデータ１２４を表示する時間帯を、対応づけたスケジュールデータ１２３を生成し、記憶装置１２０に記憶する。
【００５４】
図４ないし図６を参照して、スケジュールコンテンツ登録手段１１２が表示する画面の一例を説明する。図４に示す表示端末選択画面Ｐ２１は、コンテンツ制御サーバ１の管理対象の広告表示端末２の一覧である「保有端末一覧」を表示する。表示端末選択画面Ｐ２１は、「保有端末一覧」から管理者によって選択された広告表示端末２の一覧を、「対象端末一覧」として表示する。ここで表示端末選択画面Ｐ２１は、管理対象の全ての広告表示端末２を対象端末とするための「全端末に表示」するためのソフトボタンを設けても良い。
【００５５】
次に、図５に示す表示開始設定画面Ｐ２２において、図４の「対象端末一覧」に対して、所定のコンテンツを表示する時間を、管理者に設定させる。表示開始設定画面Ｐ２２は、曜日毎に、異なる時間帯を設定可能に構成される。
【００５６】
さらに、図４の「対象端末一覧」に設定された広告表示端末２に、図５で設定された時間に表示するコンテンツを選択させる画面（図示せず）を表示する。この画面は、コンテンツを一覧で表示したり、動画再生表示や静止画のスライドショー表示などの表示形式を選択させたりすることにより、広告表示端末２で再生するコンテンツを特定することを可能とする。
【００５７】
このように、対象端末、表示するコンテンツおよび時間帯が設定されると、図６に示すスケジュール表示画面Ｐ２３が表示される。スケジュール表示画面Ｐ２３は、週単位の時間割形式で表示するが、この形式に限られない。
【００５８】
スケジュールコンテンツ登録手段１１２は、図４ないし図６に示す画面などによって、スケジュールデータ１２３およびコンテンツデータ１２４を生成し、記憶装置１２０に記憶する。スケジュールデータ１２３およびコンテンツデータ１２４は、データ交換制御手段１１３によって、広告表示端末２に記憶される。
【００５９】
データ交換制御手段１１３は、広告表示端末２との交換データの交換を制御する。具体的にはデータ交換制御手段１１３は、通信ネットワーク４および記憶媒体３から指定された媒体を介して、プログラムデータ１２１、スケジュールデータ１２３、およびコンテンツデータ１２４などを広告表示端末２に記憶させる。さらにデータ交換制御手段１１３は、複数の広告表示端末２から、通信ネットワーク４および記憶媒体３から指定された媒体を介して、操作ログデータなどのログデータを取得して記憶装置１２０に記憶する。
【００６０】
データ交換制御手段１１３は、これらの交換データを、通信ネットワーク４を介して広告表示端末２と送受信する接続型交換制御手段１１４と、記憶媒体３を介して広告表示端末２と受け渡しする非接続型交換制御手段１１５とを備える。
【００６１】
接続型交換制御手段１１４は、通信ネットワーク４を介して、プログラムデータ１２１、スケジュールデータ１２３、およびコンテンツデータ１２４などを広告表示端末２に記憶させる。接続型交換制御手段１１４は、広告表示端末２に接続リクエストを送信し、互いに認証できた後、記憶装置１２０から、接続先の広告表示端末２に関するプログラムデータ１２１、スケジュールデータ１２３、およびコンテンツデータ１２４などを送信し、記憶させる。これらのデータが接続先の広告表示端末２に記憶されると、接続型交換制御手段１１４は、その旨を確認データ１２６として記憶する。また接続型交換制御手段１１４は、これらのデータが広告表示端末２で記憶されたか否か、記憶に失敗した場合のエラーコードなどの動作ログデータや、コンテンツデータに対する操作ログデータなどを取得して、記憶装置１２０に記憶する。
【００６２】
非接続型交換制御手段１１５は、記憶媒体３を介して、プログラムデータ１２１、スケジュールデータ１２３、およびコンテンツデータ１２４などを広告表示端末２に記憶させる。非接続型交換制御手段１１５は、記憶媒体３に、当該記憶媒体３を読み出す広告表示端末２に関するプログラムデータ１２１、スケジュールデータ１２３、およびコンテンツデータ１２４を記憶する。
【００６３】
例えば、本発明の実施の形態に係るコンテンツ制御システム７において、複数の現場担当者がそれぞれ記憶媒体３を所持して、非接続型店舗システム２２に赴く場合がある。その場合、非接続型交換制御手段１１５は、ある記憶媒体３について、記憶装置１２０からこの記憶媒体３が差し込まれる広告表示端末２に関するプログラムデータ１２１、スケジュールデータ１２３、およびコンテンツデータ１２４などを抽出して、この記憶媒体３に記憶する。例えば、現場担当者が、１０箇所の広告表示端末２に赴く場合、非接続型交換制御手段１１５は、これら１０箇所の広告表示端末２に対応づけられたプログラムデータ１２１、スケジュールデータ１２３、およびコンテンツデータ１２４などを抽出する。さらに非接続型交換制御手段１１５は、抽出された各データを、このデータを記憶する広告表示端末２の識別子と対応づけて、記憶媒体３に記憶する。
【００６４】
また非接続型交換制御手段１１５は、この記憶媒体３がコンテンツ制御システム７に関する正当な記憶媒体であることを示すための認証ファイルを、記憶媒体３に記憶する。認証ファイルは、広告表示端末２が記憶媒体３を認証する際に参照される。プログラムデータ１２１、スケジュールデータ１２３、およびコンテンツデータ１２４などが接続先の広告表示端末２に記憶されると、広告表示端末２によって確認データ１２６が記憶媒体３に記憶される。非接続型交換制御手段１１５は、現場担当者によって記憶媒体３が記憶媒体読み書き装置１４０に差し込まれると、記憶媒体３に記憶された確認データを、記憶装置１２０に記憶する。また非接続型交換制御手段１１５は、これらのデータが広告表示端末２で記憶されたか否か、記憶に失敗した場合のエラーコードなどの動作ログデータや、コンテンツデータに対する操作ログデータなどを取得して、記憶装置１２０に記憶する。
【００６５】
なお、いずれの端末に、いずれの媒体でデータを送信するかは、適宜設定される。例えば、端末リストデータ１２２に、通信ネットワーク４経由か、記憶媒体３経由かを示すフラグを設けることにより、設定されても良い。また、管理者が設定しても良い。
【００６６】
ログ出力手段１１６は、複数の広告表示端末２から取得した操作ログデータに基づいて、統計データを出力する。ログ出力手段１１６は、操作のあった端末、操作日時、操作対象などをキーに、図７に示すようなグラフを生成して、出力装置１５０に表示する。図７に示す端末ビュー数表示画面Ｐ２４は、ログ出力手段１１６が出力可能な画面の一例であって、２０１３年１月１４日（月）から２０日（日）までの、管理対象の各端末における操作回数を棒グラフで表したものである。ログ出力手段１１６は、コンテンツ毎および端末毎のビュー数、時間単位のビュー数など、様々な形でログデータを出力することができる。
【００６７】
（広告表示端末）
図８を参照して、本発明の実施の形態に係る広告表示端末２を説明する。広告表示端末２は、処理装置２１０、記憶装置２２０、通信制御装置２３０、記憶媒体読み書き装置２４０および入出力装置２５０を備えるコンピュータである。コンピュータが所定の機能を実現するためのプログラムを実行することにより、図８に示す各手段として機能する。
【００６８】
本発明の実施の形態に係る広告表示端末２は、通信制御装置２３０および記憶媒体読み書き装置２４０の両方を備え、通信ネットワーク４を介したコンテンツの入れ替えと、記憶媒体３を介したコンテンツの入れ替えの両方を実現可能である。これにより、広告表示端末２は、設置される場所によらず、シームレスにコンテンツの入れ替えを可能とする。
【００６９】
通信制御装置２３０は、通信ネットワーク４を介して、コンテンツ制御サーバ１とデータを送受信する。通信制御装置２３０は、コンテンツ制御サーバ１とデータを送受信できれば良く、有線で接続されても良いし、無線で接続されても良い。
【００７０】
記憶媒体読み書き装置２４０は、媒体のデータを読み出したり、媒体にデータを書いたりする装置である。記憶媒体読み書き装置２４０は、例えば、記憶媒体３がＵＳＢメモリの場合、ＵＳＢインタフェースであって、ＳＤカードの場合、ＳＤカードのリーダライタである。
【００７１】
入出力装置２５０は、いわゆるタッチパネルであって、処理装置２１０の制御に従って、データを出力するとともに、入力された操作を取得する。入出力装置２５０は、表示装置と入力装置などの、異なる筐体により形成されても良い。
【００７２】
記憶装置２２０は、制御プログラム２２１、表示プログラム２２２、スケジュールデータ２２３、コンテンツデータ２２４およびログデータ２２５を記憶する。
【００７３】
制御プログラム２２１は、ＯＳやミドルウェアなどであって、具体的には、処理装置２１０のデータ交換手段２１１を実現する。制御プログラム２２１は、通信制御装置２３０、記憶媒体読み書き装置２４０および入出力装置２５０が、稼働するための設定ファイルなども含まれる。表示プログラム２２２は、本発明の実施の形態に係る広告表示端末２が、コンテンツデータ２２４を入出力装置２５０に出力するためのプログラムである。
【００７４】
制御プログラム２２１および表示プログラム２２２は、コンテンツ制御サーバ１から提供される。本発明の実施の形態において、制御プログラムと表示プログラムをあわせて、広告表示プログラムと称される場合がある。
【００７５】
スケジュールデータ２２３は、広告表示端末２において表示するコンテンツのスケジュールのデータであって、広告表示端末２が設置される小売店の営業時間内の時間と、その時間で再生するコンテンツの識別子とを対応づけて保持する。コンテンツデータ２２４は、広告表示端末２が再生するコンテンツのデータである。コンテンツデータ２２４は、コンテンツの識別子に対応づけられて保持する。スケジュールデータ２２３およびコンテンツデータ２２４は、コンテンツ制御サーバ１から提供される。
【００７６】
ログデータ２２５は、動作ログデータと操作ログデータを含む。動作ログデータは、制御プログラム２２１や表示プログラム２２２を実行している間に生じた異常に関するログである。操作ログデータは、コンテンツの再生中に顧客による操作に関するログである。操作ログデータは、顧客による操作の操作時間、および操作対象のコンテンツの識別子などを対応づけたデータである。
【００７７】
処理装置２１０は、データ交換手段２１１および表示制御手段２１４を備える。処理装置２１０は、広告表示端末２が店舗内の顧客が接触可能な場所に設置されることを、想定して動作することが好ましい。例えば処理装置２１０は、突然の電源断に備え、システムが壊れないように制御したり、処理装置２１０が暴走しても、ハードウェアウォッチドッグタイマにより、自動的に再起動するよう制御したりする構成が好ましい。
【００７８】
データ交換手段２１１は、コンテンツ制御サーバ１と交換データの交換を制御する。例えばデータ交換手段２１１は、コンテンツ制御サーバ１のコンテンツデータを、媒体を介して、取得して記憶する。この媒体は、通信ネットワーク４または記憶媒体３のいずれかであって、コンテンツ制御サーバ１において指定されるものである。
【００７９】
またデータ交換手段２１１は、コンテンツ制御サーバ１の新たなコンテンツデータを取得して記憶する際、媒体を介して、表示制御手段２１４によって記憶された操作ログデータをコンテンツ制御サーバ１に記憶させる。データ交換手段２１１は、コンテンツ制御サーバ１から、制御プログラム２２１、表示プログラム２２２、スケジュールデータ２２３およびコンテンツデータ２２４を取得すると、ログデータ２２５をコンテンツ制御サーバ１に返す。このログデータ２２５は、操作ログデータのみならず、制御プログラム２２１および表示プログラム２２２の実行中の動作ログデータも含む。
【００８０】
データ交換手段２１１は、交換データを、通信ネットワーク４を介してコンテンツ制御サーバ１と送受信する接続型交換手段２１２と、記憶媒体３を介してコンテンツ制御サーバ１と受け渡しする非接続型交換手段２１３を備える。
【００８１】
接続型交換手段２１２は、通信ネットワーク４を介して、コンテンツ制御サーバ１から、プログラムデータ１２１、スケジュールデータ１２３、およびコンテンツデータ１２４などを受信し、制御プログラム２２１、表示プログラム２２２、スケジュールデータ２２３、およびコンテンツデータ２２４として記憶する。接続型交換手段２１２は、コンテンツ制御サーバ１からの接続リクエストを受信し、互いに認証できた後、コンテンツ制御サーバ１から、当該広告表示端末２に関するプログラムデータ１２１、スケジュールデータ１２３、およびコンテンツデータ１２４などを受信し、記憶する。これらのデータを記憶すると、接続型交換手段２１２は、その旨を確認データ１２６としてコンテンツ制御サーバ１に送信し、記憶させる。また接続型交換手段２１２は、これらのデータを記憶したか否か、記憶に失敗した場合のエラーコードなどの動作ログデータや、コンテンツデータに対する操作ログデータなどを、コンテンツ制御サーバ１に送信し、記憶させる。
【００８２】
非接続型交換手段２１３は、記憶媒体３が記憶媒体読み書き装置２４０に差し込まれると、記憶媒体３を読み出し、記憶媒体３を認証できるか否かを判定する。認証できた場合、非接続型交換手段２１３は、記憶媒体３に記憶されたデータのうち、当該広告表示端末２に関する制御プログラム２２１、表示プログラム２２２、スケジュールデータ２２３、およびコンテンツデータ２２４などを取得して記憶する。さらに非接続型交換手段２１３は、コンテンツデータ２２４などの記憶に成功した場合、その旨を示す確認データを記憶媒体３に記憶して、コンテンツ制御サーバ１に記憶させる。
【００８３】
非接続型交換手段２１３は、記憶媒体３が差し込まれると、所定位置に記憶された認証ファイルを読み出すなどにより、本発明の実施の形態に係るコンテンツ制御システム７の記憶媒体３であるか否かを判定する。コンテンツ制御システム７の記憶媒体３でない場合、そのまま処理を終了する。認証に成功すると、非接続型交換手段２１３は、記憶媒体３に記憶されたデータのうち、自身の広告表示端末２に関連するデータを読み出して、記憶装置２２０に記憶する。また、非接続型交換手段２１３は、ログデータ２２５を記憶媒体３に記憶する。
【００８４】
これらの処理が正常に終了すると、非接続型交換手段２１３は、自身の広告表示端末２の識別子に対応づけて、確認データを記憶媒体３に記憶する。確認データは、広告表示端末２が受信し記憶したデータの識別子や時刻などの情報を含む。これにより、現場担当者が持ち帰った記憶媒体３の確認データを読み出すことにより、現場担当者が、所定の広告表示端末２に正常にコンテンツ等をダウンロードさせたか否かのエビデンスを残すことができる。
【００８５】
このように、非接続型交換手段２１３は、現場担当者が記憶媒体３を記憶媒体読み書き装置２４０に挿入することにより、記憶媒体の認証、プログラム、コンテンツデータなどのダウンロードおよびログデータの送信を一連の動作として実行する。
【００８６】
表示制御手段２１４は、データ交換手段２１１が取得したコンテンツデータ２２４を、入出力装置２５０に出力させる。このとき表示制御手段２１４は、スケジュールデータ２２３に従って、コンテンツデータ２２４を出力させる。また表示制御手段２１４は、出力したコンテンツに対して、顧客が操作を入力した際、顧客の操作に従って、出力するコンテンツデータを遷移させるとともに、出力するコンテンツデータ２２４に対して入力された操作に関する操作ログデータを、ログデータ２２５として記憶する。
【００８７】
（コンテンツ制御方法）
次に本発明の実施の形態に係るコンテンツ制御方法を説明する。図９は、通信ネットワーク４を介して交換データを交換する処理を説明し、図１０は、記憶媒体３を介して交換データを交換する処理を説明する。
【００８８】
図９に示すように、通信ネットワーク４を介して交換データを交換する際、ステップＳ１０１においてコンテンツ制御サーバ１は、交換対象の広告表示端末２に、接続リクエストを送信する。これに対し、ステップＳ１０２において広告表示端末２は、コンテンツ制御サーバ１に接続応答を送信する。
【００８９】
次にステップＳ１０３においてコンテンツ制御サーバ１は、接続先の広告表示端末２をＭＡＣアドレスや暗号鍵などにより認証する。具体的には、広告表示端末２のＭＡＣアドレスが、予め端末リストデータ１２２に保持したＭＡＣアドレスと同一であるか否かを判定する。同一でない場合、そのまま処理を終了する。なお、広告表示端末２においても、接続リクエストの送信元のコンテンツ制御サーバ１が、予定したサーバであるか否かを、ＭＡＣアドレスや暗号鍵などにより認証しても良い。
【００９０】
ステップＳ１０３においてコンテンツ制御サーバ１が広告表示端末２を認証できた場合、ステップＳ１０４において、この広告表示端末２に対応づけられた交換データを送信し、広告表示端末２は、交換データを受信する。
【００９１】
ステップＳ１０５において広告表示端末２は、交換データに、制御プログラム２２１や表示プログラム２２２を含むか否かを判定する。含まない場合、ステップＳ１０７に進む。一方、これらのデータを含む場合、ステップＳ１０６において広告表示端末２は、交換データの制御プログラム２２１や表示プログラム２２２を記憶装置２２０に記憶する。
【００９２】
ステップＳ１０７においてコンテンツ制御サーバ１は、交換データに、スケジュールデータ２２３やコンテンツデータ２２４を含むか否かを判定する。含まない場合、ステップＳ１０９に進む。一方、これらのデータを含む場合、ステップＳ１０８において、交換データのスケジュールデータ２２３やコンテンツデータ２２４を記憶装置２２０に記憶し、更新する。この後、広告表示端末２は、新に受信したスケジュールデータ２２３やコンテンツデータ２２４に基づいて、動作するよう制御される。
【００９３】
ステップＳ１０９において広告表示端末２は、コンテンツ制御サーバ１に、確認データやログデータ２２５を送信する。ステップＳ１１０においてコンテンツ制御サーバ１は、受信した確認データやログデータ２２５を、記憶装置１２０に記憶する。
【００９４】
ここで、コンテンツ制御サーバ１が、複数の広告表示端末２と交換データを交換する際、図９に示す処理が、交換対象の広告表示端末２ごとに実行される。
【００９５】
図１０に示すように、記憶媒体３を介して交換データを交換する際、ステップＳ２０１においてコンテンツ制御サーバ１は、記憶媒体３に、この記憶媒体３が差し込まれる広告表示端末２に関連する交換データを記憶する。この記憶媒体３は、現場担当者によって、非接続型店舗システム２２の広告表示端末２まで運ばれ、広告表示端末２の記憶媒体読み書き装置２４０に挿入される。
【００９６】
広告表示端末２は、記憶媒体３が差し込まれると、ステップＳ２０２において記憶媒体３のデータを読み出し、ステップＳ２０３において記憶媒体３を認証する。記憶媒体３を認証できなかった場合、そのまま処理を終了する。一方、記憶媒体３を認証できた場合、ステップＳ２０４に進む。
【００９７】
ステップＳ２０４において広告表示端末２は、記憶媒体３に記憶されているデータのうち、自身の広告表示端末２に関連する交換データを取得する。すなわち、記憶媒体３に記憶されているデータのうち、他の広告表示端末２のみに関連する交換データは取り込まないように制御される。
【００９８】
自身の広告表示端末２に関連する交換データを取り込むと、ステップＳ２０５ないしステップＳ２０８の処理が実行される。この処理は、図９のステップＳ１０５ないしステップＳ１０８の処理と同様である。
【００９９】
ステップＳ２０９において広告表示端末２は、記憶媒体３に、確認データやログデータ２２５を記憶する。この記憶媒体３が、現場担当者によって、コンテンツ制御サーバ１に差し込まれると、ステップＳ２１０においてコンテンツ制御サーバ１は、記憶媒体３に記憶されたデータを読み出す。ここに記憶されるデータは、記憶媒体３が差し込まれた各広告表示端末２の確認データおよびログデータ２２５である。
【０１００】
ここで、コンテンツ制御サーバ１が、複数の広告表示端末２と交換データを交換する際、図１０のステップＳ２０２ないしステップＳ２０９に示す処理が、交換対象の広告表示端末２ごとに実行される。
【０１０１】
このような本発明の実施の形態に係る広告表示端末２は、通信ネットワーク４を介したコンテンツの入れ替えと、記憶媒体３を介したコンテンツの入れ替えの両方を実装する。また広告表示端末２は、通信ネットワーク４および記憶媒体３の両方に対応した制御プログラムがインストールされる。これにより、広告表示端末２が設置される位置を問わず、広告表示端末２に適宜コンテンツデータをダウンロードさせることができる。また、広告表示端末２の設置位置の変更に伴い、コンテンツを入れ替える場合でも、設置位置の環境を問わず、広告表示端末２を適用できるので、コストの削減に寄与する。
【０１０２】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【０１０３】
例えば、本発明の実施の形態に記載したコンテンツ制御サーバは、図１に示すように一つのハードウェア上に構成されても良いし、その機能や処理数に応じて複数のハードウェア上に構成されても良い。
【０１０４】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１０５】
１  コンテンツ制御サーバ
２  広告表示端末
３  記憶媒体
４  通信ネットワーク
５  構内通信ネットワーク
７  コンテンツ制御システム
２１  接続型店舗システム
２２  非接続型店舗システム
１１０、２１０  処理装置
１１１  プログラム更新手段
１１２  スケジュールコンテンツ登録手段
１１３  データ交換制御手段
１１４  接続型交換制御手段
１１５  非接続型交換制御手段
１１６  ログ出力手段
１２０、２２０  記憶装置
１３０、２３０  通信制御装置
１４０、２４０  記憶媒体読み書き装置
１５０  出力装置
１６０  入力装置
２１１  データ交換手段
２１２  接続型交換手段
２１３  非接続型交換手段
２１４  表示制御手段
２５０  入出力装置
【図１】
2015141559.tif 000003
【図２】
2015141559.tif 000004
【図３】
2015141559.tif 000005
【図４】
2015141559.tif 000006
【図５】
2015141559.tif 000007
【図６】
2015141559.tif 000008
【図７】
2015141559.tif 000009
【図８】
2015141559.tif 000010
【図９】
2015141559.tif 000011
【図１０】
2015141559.tif 000012